(57)【要約】【課題】かつらの着脱作業を効率よく行うことができるとともに、かつらの装着安定性を向上させ、かつ自毛に与える負担を軽減することが可能なかつらの提供を目的とする。【解決手段】少なくとも周縁部１０Ａをネット状部材で構成し、周縁部１０Ａの裏面に、ネット状部材よりも目の細かいレース生地１１を積層したかつらベース１０と、液体を透過させないシート状部材からなり、その上側がかつらベース１０の周縁部１０Ａの裏側に取り付けられ、かつらの装着者の自毛を引き出すための孔２０ａ、２０ａ、２０ａ・・・を設けた止着部材２０と、を備えた構成としてある。【選択図】図３
2015074845.tif 000002
【特許請求の範囲】
【請求項１】
かつらベースと、
シート状部材からなり、該シート状部材は、前記かつらベースの周縁部に沿って延びる帯状となっており、その上側が前記かつらベースの周縁部の裏側に取り付けられ、該取り付け部分よりも下側が自由な状態で前記かつらベースの周縁部の裏面に重複し、前記シート状部材の長手方向に沿って、縦横比のほぼ等しい複数の孔を所定の間隔で設けた止着部材と、を備えたことを特徴とするかつら。
【請求項２】
前記孔が、縦横比のほぼ等しい略円形、略楕円形又は略正多角形である請求項１に記載のかつら。
【請求項３】
前記孔の縦横幅の寸法を２〜５ｍｍとした請求項１又は２に記載のかつら。
【請求項４】
前記孔を、前記シート状部材の上方に設けた請求項１〜３のいずれか１項に記載のかつら。
【請求項５】
隣り合う２つの前記孔を、前記シート状部材の上下方向にシフトさせて設けた請求項１〜４のいずれか１項に記載のかつら。
【請求項６】
前記シート状部材の上方に自毛の入口となる一の前記孔を設けるとともに、前記シート状部材の下方に自毛の出口となる他の前記孔を設け、前記シート状部材を上下方向の中心で折り畳んだときに、一及び他の前記孔が互いに重なり合う請求項１〜４のいずれか１項に記載のかつら。
【請求項７】
前記シート状部材が、液体を透過させない合成樹脂シートと、ネット生地との積層体からなり、前記ネット生地が前記かつらベースの周縁部の裏面に対向するように取り付けられた請求項１〜６のいずれか１項に記載のかつら。
【請求項８】
前記シート状部材が、伸縮性を有する素材からなる請求項１〜７のいずれか１項に記載のかつら。
【請求項９】
前記孔の縦横幅の寸法を２ｍｍ未満とした請求項８に記載のかつら。
【請求項１０】
前記かつらベースの少なくとも周縁部をネット状部材で構成するとともに、前記周縁部の裏面に、前記ネット状部材よりも目の細かいレース生地を積層した請求項１〜９のいずれか１項に記載のかつら。
【発明の詳細な説明】
【技術分野】
【０００１】
本発明は、装着者の自毛を利用して頭部に止着するかつらに関し、特に、かつらの着脱作業を効率よく行うことができるとともに、かつらの装着安定性を向上させ、かつ自毛に与える負担を軽減することが可能なかつらに関する。
【背景技術】
【０００２】
一般的なかつらは、長期装着型と短期装着型とに大きく分類される。このうち長期装着型のかつらは、装着者の自毛を利用して頭部に止着する自毛固定方式と、かつらベースの裏面に接着剤を塗布して装着者の頭皮に接着するベース接着方式とに分類される。一方、短期装着型のかつらは、かつらベースに設けた反転式のストッパー（ヘアピン）で装着者の自毛に固定するストッパー方式と、かつらベースに設けた両面テープで装着者の頭皮に接着する両面テープ方式とに分類される。
【０００３】
長期装着型のかつらは、非常に強固な固定が可能であり、日常生活でかつらが脱落してしまう心配が少なく、例えば、装着したままで激しい運動をしたり、水泳をしたりすることができる。一方、短期装着型のかつらは、長期装着型と比較して固定の強度が低く、長時間装着した場合にかつらがずれたり、脱落したりする可能性がある。その反面、短期装着型のかつらは、装着者自身で簡単に着脱することができるというメリットがある。
【０００４】
ここで、上述した自毛固定方式のかつらとしては、例えば、特許文献１〜５に記載されたようなものがあり、これら特許文献１〜５に記載されたかつらは、いずれもかつらに設けたスリットないし長孔から、装着者の自毛を引き出して頭部に固定する構成となっていた。
【０００５】
特許文献１には、その図７及び図８に示されているように、かつらベース２０の周縁部２０１（表側縁部１１）の裏側に、複数のスリット４１ｂ、４１ｃを有する帯状体４１を設け、スリット４１ｂ、４１ｃから引き出した自毛２ａを、かつらベース２０の周縁部２０１と帯状体４１との間に挟んで、接着剤４で固定するかつらが記載されている。
【０００６】
特許文献２には、その図１及び図６に示されているように、エラストマー製のかつら本体１０の周縁部に、複数の自毛貫通用細長切抜き１４を形成し、これら自毛貫通用細長切抜き１４から引き出した自毛ｈを、かつら本体１０の表面に設けた両面テープ２０に接着して固定するかつらが記載されている。
【０００７】
特許文献３には、その第３図及び第７図に示されているように、かつら本体である皮体５の周縁部に、互いに対になる複数の孔９とプレート１１とを設け、各孔９から引き出した自毛をプレート１１に接着剤１９で固定するかつらが記載されている。
【０００８】
特許文献４には、その第１図及び第２図に示されているように、かつらベース１の後頭部に、１条又は２条以上のスリット２を設け、このスリット２から引き出した自毛５を、かつらの毛４と混合させるかつらが記載されている。
【０００９】
特許文献５には、その図１及び図４に示されているように、かつら本体であるヘアピース用ネット２の周縁部に沿って複数の切開部５を形成し、この切開部５の内外面に形成したシリコーン処理層６によって、切開部５から引き出した自毛を保持するかつらが記載されている。
【先行技術文献】
【特許文献】
【００１０】
【特許文献１】特開平１１−８１０２１号公報
【特許文献２】特開平５−２５７０１号公報
【特許文献３】特公平５−４５６８２号公報
【特許文献４】実開昭６０−１３６３３０号公報
【特許文献５】実公平７−４５５３５号公報
【発明の概要】
【発明が解決しようとする課題】
【００１１】
＜かつらの装着における問題点＞
特許文献１〜５に記載されたかつらは、いずれもかつらに設けたスリットないし長孔から、装着者の自毛を引き出して頭部に固定する構成となっていた。しかし、スリットないし長孔は、長手方向に延びる幅を有しているので、鉤状の冶具（例えば、特許文献１の図８（ｂ）の符号３を参照）を用いて、１つのスリットないし長孔から適量の自毛を引き出すために、複数回の引き出し作業を繰り返さなければならないという問題があった。
【００１２】
また、スリットないし長孔は、長手方向に延びる幅を有しているので、かつらベースの周縁部に多数のスリットないし長孔を設けることができなかった。このため、常に、同じ部位の自毛がかつらの固定に用いられ、上述した接着剤の剥離作業を繰り返す度に、スリットないし長孔から多量に引き出された同じ部位の自毛がダメージを受けてしまうという問題もあった。さらに、かつらベースの周縁部に少数のスリットないし長孔を点在させる構成（例えば、特許文献２の図１、特許文献３の第２図、特許文献５の図１を参照）では、結局、かつらの固定箇所も点在することになり、かつらの装着安定性が損なわれてしまうという問題もある。
【００１３】
＜かつらの取り外しにおける問題点＞
特許文献１に記載されたかつらは、その図７及び図８に示されているように、かつらベース２０の周縁部２０１（表側縁部１１）と帯状体４１とが、共に、液体を透過しない可撓性面状部材で構成されていた。このため、装着者の頭部からかつらを取り外すときの接着剤の除去が困難であるという問題があった。
【００１４】
すなわち、特許文献１に記載されたかつらは、スリット４１ｂ、４１ｃから引き出した自毛２を、かつらベース２０の周縁部２０１と帯状体４１との間に挟んで、接着剤４で固定する構成となっていた。このような構成のかつらを取り外す場合は、有機溶剤系又は水系の除去剤を用いて接着剤４を溶かし、自毛２ａの固定を解除していた。
【００１５】
しかし、接着剤４で接着された周縁部２０１と帯状体４１とが、共に、液体を透過しない可撓性面状部材で構成されていたため、これらの間で固化した接着剤に除去剤を到達させることができなかった。このため、接着剤４で接着された周縁部２０１と帯状体４１との境界に少しずつ除去剤を浸透させて接着剤４を徐々に溶かし、時間と手間を掛けて両者を剥離しなければならなかった。
【００１６】
このような不効率な剥離作業が、かつらベース２０の周縁部２０１及び帯状体４１だけでなく、固定に用いた装着者の自毛２ａにまで物理的及び化学的なダメージを与えてしまうという問題があった。このため、かつらの着脱を何度も繰り返すと、かつらベース２０の周縁部２０１が破損してしまい、かつら本体が未だ美品であっても、もはやそのかつらを使用することができなくなる。また、固定に用いた装着者の自毛２ａが痛んで抜けてしまった場合には、その箇所での固定が行えなくなり、かつらの装着安定性が損なわれてしまう。
【００１７】
本発明は、上記問題点に鑑みてなされたものであり、かつらの着脱作業を効率よく行うことができるとともに、かつらの装着安定性を向上させ、かつ自毛に与える負担を軽減することが可能なかつらの提供を目的とする。
【課題を解決するための手段】
【００１８】
（１）上記目的を達成するために、本発明のかつらは、かつらベースと、シート状部材からなり、該シート状部材は、前記かつらベースの周縁部に沿って延びる帯状となっており、その上側が前記かつらベースの周縁部の裏側に取り付けられ、該取り付け部分よりも下側が自由な状態で前記かつらベースの周縁部の裏面に重複し、前記シート状部材の長手方向に沿って、縦横比のほぼ等しい複数の孔を所定の間隔で設けた止着部材と、を備えた構成としてある。
【００１９】
上記構成からなる本発明のかつらでは、止着部材に設けた複数の孔から装着者の自毛を引き出し、この自毛をかつらベースの周縁部と止着部材との間に挟んで接着する。装着者の自毛を引き出すための複数の孔の縦横比をほぼ等しくしたことにより、これら複数の孔が、従来のスリットや長孔のように長手方向に延びる形状とならず、各孔の大きさを小さくすることによって、各孔から１回の引き出し作業で適量の自毛を引き出すことが可能となる。これにより、従来のスリットや長孔と比較して、かつらの装着作業を効率よく行うことができるようになる。また、各孔の大きさを小さくした場合でも、かつらベースの周縁部に沿って延びる帯状の止着部材に、より多数の孔を設けることで、かつらの装着安定性を向上させることが可能である。
【００２０】
本発明における止着部材は、かつらベースの周縁部に沿って延びる１つの帯状体であってもよく、複数の帯状体に分割されたものであってもよい。この場合に、１つの止着部材がかつらベースの周縁部に沿って長くなるほど、その浮き上がりや捲れが構造的に生じにくくなり、また、止着部材の孔の周辺を指で押さえて、この孔から容易に自毛を引き出すことができる。
【００２１】
ここで、止着部材を、かつらベースの周縁部に沿って延びる１つの帯状体とした場合には、最も浮き上がりや捲れが生じにくく、複数の孔から自毛を引き出す作業が進むに従って、止着部材の全体が頭部に安定的に保持され、自毛の引き出し作業を容易に進めることができる。一方、止着部材を、かつらベースの周縁部に沿って延びる複数の帯状体に分割した場合は、部分的な汚損ないし破損に対して、一部の止着部材の交換により対応することが可能である。
【００２２】
（２）好ましくは、上記（１）のかつらにおいて、前記孔が、縦横比のほぼ等しい略円形、略楕円形又は略正多角形である構成にするとよい。
【００２３】
上記構成によれば、自毛を引き出すための各孔が、スリットや長孔のように長手方向に延びる形状とならないので、各孔の大きさを小さくすることによって、各孔から１回の引き出し作業で適量の自毛を引き出すことが可能となる。
【００２４】
（３）好ましくは、上記（１）又は（２）のかつらにおいて、前記孔の縦横幅の寸法を２〜５ｍｍとした構成にするとよい。
【００２５】
本発明者が鋭意検討した結果、孔の縦横幅を２〜５ｍｍ程度とした場合は、適量の自毛を１回で引き出すことが可能である。縦横幅が２〜５ｍｍ程度の小孔を、止着部材の長手方向に沿って多数形成すれば、十分なかつらの固定力を得ることができ、また、着脱を繰り返す度に、異なる位置の自毛を固定に用いて、自毛が受けるダメージの軽減及び回復を図ることが可能である。一方、孔の縦横幅を約６〜１５ｍｍとした場合は、１つの孔から引き出す自毛の量が増大し、固定に用いる自毛の負担を軽減することができる。
【００２６】
（４）好ましくは、上記（１）〜（３）のいずれかのかつらにおいて、前記孔を、前記シート状部材の上方に設けた構成にするとよい。
【００２７】
上記構成によれば、各孔から下の止着部材の面積が増大するので、各孔から引き出した自毛の接着面積が広くなり、かつらの固定力を向上させることができる。
【００２８】
（５）好ましくは、上記（１）〜（４）のいずれかのかつらにおいて、隣り合う２つの前記孔を、前記シート状部材の上下方向にシフトさせて設けた構成にするとよい。
【００２９】
上記構成によれば、隣り合う上下２つの孔を選択することにより、自毛の引き出し位置を変更することができ、着脱を繰り返す度に、異なる位置の自毛を固定に用いて、自毛が受けるダメージの軽減及び回復を図ることが可能である。
【００３０】
（６）好ましくは、上記（１）〜（４）のいずれかのかつらにおいて、前記シート状部材の上方に自毛の入口となる一の前記孔を設けるとともに、前記シート状部材の下方に自毛の出口となる他の前記孔を設け、前記シート状部材を上下方向の中心で折り畳んだときに、一及び他の前記孔が互いに重なり合う構成にするとよい。
【００３１】
上記構成によれば、止着部材の上下に設けた２つの孔を自毛が通り抜けるので、止着部材と自毛とが互いに係止し、かつらの固定力を増大させることができるとともに、かつらベースの周縁部と止着部材との間で自毛を位置決めし、安定した状態で接着作業を行うことが可能となる。
【００３２】
また、止着部材を上下方向の中心で折り畳んで、上下に設けた２つの孔を互いに重ね合わせれば、１回の自毛の引き出し作業によって、この自毛を上下に設けた２つの孔から容易に引き出すことができる。
【００３３】
（７）好ましくは、上記（１）〜（６）のいずれかのかつらにおいて、前記シート状部材が、液体を透過させない合成樹脂シートと、ネット生地との積層体からなり、前記ネット生地が前記かつらベースの周縁部の裏面に対向するように取り付けられた構成にするとよい。
【００３４】
上記構成によれば、止着部材を構成する合成樹脂シートの平滑な接着面を、これに積層したネット生地によって粗面にすることができ、かつらベースの周縁部との接着力を更に増大させることが可能となる。また、合成樹脂シートを透明にし、ネット生地を肌色、黒、茶などの頭皮や毛髪の類似色とすることで、かつらの装着時における止着部材の隠蔽を図ることができる。さらに、ネット生地が合成樹脂シートの補強の役割を果たすので、止着部材の厚さをより薄くして、かつらの装着感を向上させることが可能である。
【００３５】
（８）好ましくは、上記（１）〜（７）のいずれかのかつらにおいて、前記シート状部材が、伸縮性を有する素材からなる構成にするとよい。
【００３６】
上記構成によれば、止着部材の伸縮力によって、各孔から引き出した自毛の保持が可能となり、かつらの装着作業が容易になるとともに、かつらの固定力をより増大させることが可能となる。
【００３７】
（９）好ましくは、上記（８）のいずれかのかつらにおいて、前記孔の縦横幅の寸法を２ｍｍ未満とした構成にするとよい。
【００３８】
上記構成によれば、止着部材が伸縮性を有する場合は、各孔の縦横幅の寸法を約１ｍｍ程度にまで小さくすることができ、適量の自毛を確実に１回で引き出すことが可能となり、また、より多数の孔を、止着部材の長手方向に沿って設けることが可能となる。
【００３９】
（１０）好ましくは、上記（１）〜（１０）のいずれかのかつらにおいて、前記かつらベースの少なくとも周縁部をネット状部材で構成するとともに、前記周縁部の裏面に、前記ネット状部材よりも目の細かいレース生地を積層した構成にするとよい。
【００４０】
上記構成によれば、かつらベースの周縁部を、ネット状部材とレース生地との積層体で構成したことにより、この周縁部に液体の透過性をもたせることができる。したがって、止着部材の各孔から引き出した自毛を、かつらベースの周縁部と止着部材との間に挟んで接着した場合でも、液体の透過性を有するかつらベースの周縁部に除去剤を含侵させて、固化した接着剤全体を一度に効率よく溶かすことが可能となる。これにより、かつらベースの周縁部と止着部材との剥離作業を、極めて容易かつ迅速に行うことができるようになるとともに、かつらベースの周縁部及び止着部材のみならず、固定に用いた装着者の自毛の受けるダメージを大幅に軽減することが可能となる。
【００４１】
また、かつらベースの周縁部を構成するネット状部材の裏面に、これよりも目の細かいレース生地を積層したことにより、液体の透過性をもたせつつ、接着面の繊維密度を増大させることができる。これにより、かつらベースの周縁部と止着部材との接着力が飛躍的に増大し、かつらを長期にわたって強固に固定することが可能となる。
【発明の効果】
【００４２】
本発明のかつらによれば、かつらの着脱作業を効率よく行うことができるとともに、かつらの装着安定性を向上させ、かつ自毛に与える負担を軽減することが可能となる。
【図面の簡単な説明】
【００４３】
【図１】本発明の第一実施形態に係るかつらのかつらベース及び止着部材を示す平面図である。
【図２】同図（ａ）、（ｂ）は上記かつらベース及び止着部材を示す側面図である。
【図３】同図（ａ）は、上記かつらベースの周縁部及び止着部材の構成を示す部分断面図、同図（ｂ）は、上記止着部材の各部の寸法を示す概略図である。
【図４】同図（ａ）〜（ｇ）は、本実施形態のかつらの装着方法を示す概略図である。
【図５】本発明の第２実施形態に係るかつらの止着部材を示す概略図である。
【図６】本発明の第３実施形態に係るかつらの止着部材を示すものであり、同図（ａ）〜（ｄ）は、上記止着部材から自毛を引き出す作業手順を示す概略図である。
【発明を実施するための形態】
【００４４】
１．第１実施形態
＜かつらの構成＞
以下、本発明の第１実施形態に係るかつらについて、図１〜４を参照しつつ説明する。図１及び図２（ａ）、（ｂ）において、本実施形態のかつら１は、かつらベース１０の周縁部１０Ａの裏側に沿って、帯状の止着部材２０を取り付けた構成となっている。
【００４５】
＜＜かつらベース＞＞
かつらベース１０は、周縁部１０Ａを含む全体がネット状部材からなり、このネット状部材に、人工毛又は人毛である毛髪を結着し、表面側に引き出した構成となっている。本実施形態では、説明の便宜上、かつらベース１０に結着される毛髪の図示を省略する。
【００４６】
かつらベース１０を構成するネット状部材は、装着者の頭部に合わせた椀状に成形してある。ネット状部材の材料としては、成形性及び耐熱性等に優れたナイロン、ポリエステル、アクリルなどの合成樹脂が好ましい。但し、綿、麻、絹等の天然繊維からなるネット状部材を用いてもよい。かつらベース１０を構成するネット状部材の色は、これに植設する毛髪の色と近似した黒色、茶色又は白色などにするとよい。これにより、かつらベース１０に結着した毛髪の結び目が目立たなくなる効果がある。
【００４７】
ここで、図２（ｂ）及び図３（ａ）に示すように、本実施形態のかつらベース１０の周縁部１０Ａの裏面には、周縁部１０Ａに沿って延びる帯状のレース生地１１が、接着、熱圧着又は縫着により取り付けてある。このレース生地１１は、かつらベース１０を構成するネット状部材よりも目の細かい素材からなり、液体の透過性をもたせつつ、接着面の繊維密度を増大させている。レース生地１１としては、例えば、ナイロン、ポリエステル、アクリル等の合成繊維、綿、麻、絹等の天然繊維からなる目の細かい織布を用いることができる。レース生地１１の目の細かさとしては、例えば、かつらベース１０のネット状部材の目の粗さを数十メッシュとしたとき、これよりも細かい数百メッシュとすることができる。
【００４８】
＜＜止着部材＞＞
図１及び図２（ａ）、（ｂ）に示すように、止着部材２０は、かつらベース１０の周縁部１０Ａの裏側に沿って取り付けられた帯状のシート状部材である。図３（ａ）に示すように、本実施形態の止着部材２０は、液体を透過させない合成樹脂シート２１にネット生地２２を積層した構成となっている。合成樹脂シート２１としては、かつら１の固定手段としての耐久性、接着性及び柔軟性を有する合成又は天然のあらゆるフィルム又はシート状の材料を用いることが可能である。また、合成樹脂シート２１は、透明又は不透明のいずれでもよく、無色又は有色のいずれであってもよい。合成樹脂シート２１が無色透明の場合は、ネット生地２２を黒色、茶色又は白色などにして隠蔽を図ることが可能である。
【００４９】
このような止着部材２０は、そのネット生地２２がレース生地１１と対向するように、その上側一辺を、かつらベース１０の周縁部１０Ａの裏側に取り付けてある。止着部材２０の取り付け方法は、特に限定されるものではなく、接着、熱圧着又は縫着などのいずれであってもよい。
【００５０】
止着部材２０の長手方向には、かつらの装着者の自毛を引き出すための多数の孔２０ａ、２０ａ、２０ａ・・・が横一列に穿設してある。図３（ｂ）に示すように、本実施形態では、各孔２０ａを直径２ｍｍの円形とし、止着部材２０の長手方向に沿って５ｍｍ間隔（隣り合う２つの孔２０ａ、２０ａの中心間の距離）で設けている。また、これら円形の孔２０ａは、止着部材２０の上下方向（短手方向）の中心よりも上方に位置している。
【００５１】
＜かつらの装着方法＞
次に、上記構成からなる本実施形態のかつらの装着方法について、図４（ａ）〜（ｇ）を参照しつつ説明する。
【００５２】
まず、図４（ａ）に示すように、本実施形態のかつら１を、図示しない装着者の頭部に載置する。次いで、図４（ｂ）に示すように、かつらベース１０の周縁部１０Ａを捲り上げて、止着部材２０を外部に露出させる。
【００５３】
その後、図４（ｃ）、（ｄ）に示すように、先端部が鉤状になった専用の冶具１００を用いて、止着部材２０の各孔２０ａから装着者の自毛２００を引き出す。具体的には、冶具１００の鉤状の先端部を孔２０ａに挿し込み、この先端部に自毛２００を引っ掛けて、孔２０ａから引き抜けばよい。本実施形態では、各孔２０ａを直径２ｍｍの小さな円形としてあるので、孔２０ａの大きさに最適な量の自毛２００を、１回の作業で引き出すことができる。
【００５４】
また、本実施形態では、各孔２０ａを直径２ｍｍの小さな円形としてあるので、止着部材２０の長手方向に沿って孔２０ａを多数形成することが可能である。このため、図４（ｅ）に示すように、全ての孔２０ａから自毛２００を引き出して、かつら１の固定に用いてもよい。又は装着者の側頭部及び後頭部に対応する一部の孔２０ａから自毛２００を引き出して、かつら１の固定に用いてもよい。
【００５５】
例えば、装着者の自毛２００の量が多い場合には、全ての孔２０ａから自毛２００を引き出して、かつら１の固定に用いれば、かつら１の装着安定性が極めて良好となる。一方、装着者の自毛２００の量が少ない場合でも、装着者の側頭部及び後頭部に対応する一部の孔２０ａを選択して使用することにより、十分なかつら１の固定力を得ることができる。さらに、いずれの場合においても、かつら１の着脱を繰り返す度に、異なる孔２０ａを選択して使用すれば、毎回、異なる位置の自毛２００をかつら１の固定に用いることができ、自毛２００が受けるダメージの軽減及び回復を図ることが可能である。
【００５６】
次いで、図４（ｆ）、（ｇ）に示すように、止着部材２０の表面に接着剤３００を塗布し、各孔２０ａから引き出した自毛２００を、かつらベース１０の周縁部１０Ａと止着部材２０との間に挟んで接着する。これにより、本実施形態に係るかつら１の装着が完了する。
【００５７】
＜作用効果＞
上記構成からなる本実施形態のかつら１では、装着者の自毛を引き出すための複数の孔２０ａ、２０ａ、２０ａ・・・の縦横比をほぼ等しくしたことにより、各孔２０ａが、従来のスリットや長孔のように長手方向に延びる形状とならず、また、各孔２０ａを直径２ｍｍの小さな円形としたことによって、各孔２０ａから１回の引き出し作業で適量の自毛を引き出すことが可能となる。これにより、従来のスリットや長孔と比較して、かつら１の装着作業を効率よく行うことができるようになる。
【００５８】
各孔２０ａの大きさを直径２ｍｍと極めて小さくした場合でも、かつらベース１０の周縁部１０Ａに沿って延びる帯状の止着部材２０に、より多数の孔２０ａ、２０ａ、２０ａ・・・を設けることで、かつら１の装着安定性を向上させることが可能である。
【００５９】
止着部材２０の長手方向に沿って設けた多数の孔２０ａ、２０ａ、２０ａ・・・の全部又は一部を選択して、かつら１の固定に使用することができるので、かつら１の着脱を繰り返す度に、異なる孔２０ａを選択して使用すれば、毎回、異なる位置の自毛２００をかつら１の固定に用いることができ、自毛２００が受けるダメージの軽減及び回復を図ることが可能である。
【００６０】
本実施形態のかつら１では、止着部材２０が、かつらベース１０の周縁部１０Ａに沿って延びる１つの帯状となっているので、各孔２０ａから自毛２００を引き出す作業を行う際の取り扱いが容易になり、止着部材２０の浮き上がりや捲れが生じにくくなる。すなわち、止着部材２０は、複数の帯状体に分割されたものであってもよいが、１つの止着部材２０がかつらベース１０の周縁部１０Ａに沿って長くなるほど、その浮き上がりや捲れが構造的に生じにくくなり、また、止着部材２０のうち、孔２０ａの周辺を指で押さえて、容易に自毛２００を引き出すことができる。
【００６１】
特に、本実施形態のように、止着部材２０を、かつらベース１０の周縁部１０Ａに沿って延びる１つの帯状体とした場合には、最も浮き上がりや捲れが生じにくく、複数の孔２０ａ、２０ａ、２０ａ・・・から自毛２００を引き出す作業が進むに従って、止着部材２０の全体が頭部に安定的に保持され、自毛２００の引き出し作業を容易に進めることができる。
【００６２】
本実施形態のかつら１では、各孔２０ａを止着部材２０の上方に設けているので、各孔２０ａから下の止着部材２０の面積が増大し、この結果、各孔２０ａから引き出した自毛２００の接着面積が広くなり、かつらの固定力を向上させることができる。
【００６３】
本実施形態のかつら１では、止着部材２０が、液体を透過させない合成樹脂シート２１と、ネット生地２２との積層体からなっているので、合成樹脂シート２１の平滑な接着面を、これに積層したネット生地２２によって粗面にすることができ、かつらベース１０の周縁部１０Ａ（レース生地１１）との接着力を更に増大させることが可能となる。
【００６４】
また、合成樹脂シート２１を透明にし、ネット生地２２を肌色、黒、茶などの頭皮や毛髪の類似色とすることで、かつらの装着時における止着部材の隠蔽を図ることができる。さらに、ネット生地２２が合成樹脂シート２１の補強の役割を果たすので、止着部材２０の厚さをより薄くして、かつら１の装着感を向上させることが可能である。
【００６５】
本実施形態のかつら１では、かつらベース１０の周縁部１０Ａを、ネット状部材とレース生地１１との積層体で構成したことにより、この周縁部１０Ａに液体の透過性をもたせることができる。したがって、止着部材２０の各孔２０ａから引き出した自毛２００を、かつらベース１０の周縁部１０Ａと止着部材２０との間に挟んで接着した場合でも、液体の透過性を有するかつらベース１０の周縁部１０Ａに除去剤を含侵させて、固化した接着剤３００全体を一度に効率よく溶かすことが可能となる。これにより、かつらベース１０の周縁部１０Ａと止着部材２０との剥離作業を、極めて容易かつ迅速に行うことができるようになるとともに、かつらベース１０の周縁部１０Ａ及び止着部材２０のみならず、固定に用いた装着者の自毛２００の受けるダメージを大幅に軽減することが可能となる。
【００６６】
また、かつらベース１０の周縁部１０Ａを構成するネット状部材の裏面に、これよりも目の細かいレース生地１１を積層したことにより、液体の透過性をもたせつつ、接着面の繊維密度を増大させることができる。これにより、かつらベース１０の周縁部１０Ａと止着部材２２との接着力が飛躍的に増大し、かつら１を長期にわたって強固に固定することが可能となる。
【００６７】
・第２実施形態
次に、本発明の第２実施形態に係るかつらについて、図５を参照しつつ説明する。図５は、本実施形態に係るかつらの止着部材３０を示す概略図である。
【００６８】
図５に示すように、本実施形態のかつらは、隣り合う２つの孔３０ａ、３０ｂを、止着部材３０の上下方向にシフトさせて設けた構成としてある。すなわち、本実施形態では、上述した第１実施形態と同様に、止着部材３０の上下方向（短手方向）の中心よりも上方に、第１の孔３０ａ、３０ａ、３０ａ・・・を横一列に穿設してある。そして、止着部材３０の上下方向の中心よりも上方であるが、第１の孔３０ａよりも下方で、かつ第１の孔３０ａの間隔に相当する位置に、第２の孔３０ｂ、３０ｂ、３０ｂ・・・を横一列に穿設してある。これにより、隣り合う第１及び第２の孔３０ａ、３０ｂは、止着部材３０の上下方向の中心よりも上方において、互いに上下方向にシフトした位置関係になっている。
【００６９】
本実施形態のかつらによれば、隣り合う上下２つの孔３０ａ、３０ｂを選択することにより、自毛２００（図４（ｄ）〜（ｇ）を参照）の引き出し位置を変更することができ、着脱を繰り返す度に、異なる位置の自毛２００を固定に用いて、自毛が受けるダメージの軽減及び回復を図ることが可能である。
【００７０】
・第３実施形態
次に、本発明の第３実施形態に係るかつらについて、図６（ａ）〜（ｄ）を参照しつつ説明する。図６は、本実施形態に係るかつらの止着部材４０を示すものであり、同図（ａ）〜（ｄ）は、止着部材４０から自毛２００を引き出す作業手順を示す概略図である。
【００７１】
＜止着部材の構成＞
図６（ａ）に示すように、本実施形態のかつらは、止着部材４０の上下方向（短手方向）の中心よりも上方に、自毛２００（図６（ｄ）を参照）の入口となる一の孔４０ａが横一列に穿設してある。そして、止着部材４０の上下方向の中心よりも下方には、自毛２００の出口となる他の孔４０ｂが穿設してある。
【００７２】
これら２つの孔４０ａ、４０ｂは、止着部材４０の上下方向の同一軸線上に設けられており、止着部材４０を上下方向の中心で折り畳んだときに、２つの孔４０ａ、４０ｂが互いに重なり合う構成となっている（図６（ｂ）を参照）。
【００７３】
＜自毛の引き出し作業＞
次に、上記構成からなる止着部材４０から自毛２００を引き出す作業手順について説明する。まず、上述した図４（ａ）、（ｂ）と同様に、本実施形態に係るかつらを、図示しない装着者の頭部に載置し、かつらベース１０の周縁部１０Ａを捲り上げて、止着部材４０を外部に露出させる。
【００７４】
次いで、図６（ａ）、（ｂ）に示すように、止着部材４０を上下方向の中心で折り畳んで、上下に設けた２つの孔４０ａ、４０ｂを互いに重ね合わせる。その後、図６（ｃ）に示すように、互いに重ね合わせた２つの孔４０ａ、４０ｂに、冶具１００の鉤状の先端部を挿し込み、この先端部に自毛２００を引っ掛けて、２つの孔４０ａ、４０ｂから自毛２００（図６（ｄ）を参照）を引き出す。そして、図６（ｄ）に示すように、折り畳んだ止着部材４０を元の状態に展開させると、止着部材４０の上下に設けた２つの孔４０ａ、４０ｂを自毛２００が通り抜けた状態となる。
【００７５】
その後は、上述した図４（ｆ）、（ｇ）と同様に、止着部材４０の表面に接着剤３００を塗布し、２つの孔４０ａ、４０ｂから引き出した自毛２００を、かつらベース１０の周縁部１０Ａと止着部材４０との間に挟んで接着する。これにより、本実施形態に係るかつらの装着が完了する。
【００７６】
＜作用効果＞
上記構成からなる本実施形態のかつらによれば、止着部材４０の上下に設けた２つの孔４０ａ、４０ｂを自毛２００が通り抜けるので、止着部材４０と自毛２００とが互いに係止し、かつらの固定力を増大させることができるとともに、かつらベース１０の周縁部１０Ａと止着部材４０との間で自毛２００を位置決めし、安定した状態で接着作業を行うことが可能となる。
【００７７】
また、止着部材４０を上下方向の中心で折り畳んで、上下に設けた２つの孔４０ａ、４０ｂを互いに重ね合わせれば、１回の自毛の引き出し作業によって、この自毛を上下に設けた２つの孔４０ａ、４０ｂから容易に引き出すことができる。
【００７８】
・その他の変更について
本発明のかつらは、上述した第１〜第３実施形態に限定されるものではない。例えば、上述した各実施形態では、止着部材２０、３０、４０の孔２０ａ、３０ａ、３０ｂ、４０ａ、４０ｂを円形としたが、この円形は、縦横比のほぼ等しい形状の例示にすぎない。自毛を引き出すための孔の形状を、縦横比のほぼ等しい楕円形や正多角形に変更した場合でも、その大きさを小さくすることによって、適量の自毛を１回で引き出すことが可能である。
【００７９】
また、上述した各実施形態では、孔２０ａ、３０ａ、３０ｂ、４０ａ、４０ｂの縦横幅の寸法を２ｍｍとしたが、これは、適量の自毛を１回で引き出すことが可能な好ましい大きさを例示したものであり、自毛を引き出すための孔の縦横幅は、２ｍｍを超える寸法であってもよい。さらに、適量の自毛を１回で引き出す必要がない場合は、本発明における止着部材に、自毛を引き出すためのスリットや長孔を設けてもよい。
【００８０】
これに加え、本発明における止着部材は、伸縮性を有する素材からなるシート状部材によって構成してもよい。このような構成とした場合は、止着部材の伸縮力によって、孔から引き出した自毛の保持が可能となり、かつらの装着作業が容易になるとともに、かつらの固定力をより増大させることが可能となる。また、止着部材が伸縮性を有する場合は、孔の縦横幅の寸法を約１ｍｍ程度にまで小さくすることができ、適量の自毛を確実に１回で引き出すことが可能となり、また、より多数の孔を、止着部材の長手方向に沿って設けることが可能となる。
【符号の説明】
【００８１】
１  かつら
１０  かつらベース（ネット状部材）
１０Ａ  周縁部
１１  レース生地
２０、３０、４０  止着部材
２１  合成樹脂シート（シート状部材）
２２  ネット生地（シート状部材）
２０ａ、３０ａ、３０ｂ、４０ａ、４０ｂ  孔
１００  冶具
２００  自毛
３００  接着剤
【図１】
2015074845.tif 000003
【図２】
2015074845.tif 000004
【図３】
2015074845.tif 000005
【図４】
2015074845.tif 000006
【図５】
2015074845.tif 000007
【図６】
2015074845.tif 000008